【手続補正書】
【提出日】平成20年2月8日(2008.2.8)
【手続補正１】
【補正対象書類名】特許請求の範囲
【補正対象項目名】全文
【補正方法】変更
【補正の内容】
【特許請求の範囲】
【請求項１】
廃棄可能なアドレスのシステムにおいて、ホスト名ドメイン、ユーザ名、ドメイン・タグ、及びパスコードを有する廃棄可能なＥメールアドレスを処理する方法であって、
（ｉ）関連する廃棄可能なＥメールアドレスを持ったＥメールを受信するステップと、
（ｉｉ）前記Ｅメールに係る前記廃棄可能なＥメールアドレスが有効かどうかを判断し、有効である場合には、該Ｅメールを、前記ホスト名ドメインにあり、該廃棄可能なＥメールアドレスを所有するユーザ送信するステップと、
（ｉｉｉ）前記Ｅメールが大量の不要Ｅメールを含んでいるので前記廃棄可能なＥメールアドレスに係るＥメールは汚染されているという表示を、前記ユーザから受信するステップと、
（ｉｖ）前記廃棄可能なアドレスのシステムにおいて、前記汚染されている廃棄可能なＥメールアドレスを取り消し、その廃棄可能なＥメールアドレスを有する将来のＥメールが、該廃棄可能なアドレスのシステムによって前記ユーザに送られるのを防止するステップと
を含む方法。
【請求項２】
前記廃棄可能なＥメールアドレスが汚染されていることを、前記ユーザから該廃棄可能なＥメールアドレスを受信した１又は複数の送信者に警告するように、該廃棄可能なアドレスのシステムによって提案するステップをさらに含む、請求項１に記載の方法。
【請求項３】
前記廃棄可能なアドレスのシステムによって、前記汚染されている廃棄可能なＥメールアドレスに宛てて以前にＥメールを送った送信者ドメインを識別するステップと、その送信者ドメインから送られたＥメールに伴った、前記ユーザ又は他のユーザによって前記ホスト名ドメインで所有される他の廃棄可能なＥメールアドレスの大量取り消しを提供するステップと
をさらに含む、請求項１および請求項２のいずれかに記載の方法。
【請求項４】
前記判断するステップ（ｉｉ）は、
前記廃棄可能なアドレスのシステムによって、前記廃棄可能なＥメールアドレスからユーザ名、ドメイン・タグ、及びパスコードを抽出するステップと、
前記ユーザ名が前記廃棄可能なアドレスのシステムに対して予め定義されているかどうかを判断するためのチェックを行い、予め定義されていない場合には前記Ｅメールを拒否するステップと
を含む、請求項１から請求項３までのいずれかに記載の方法。
【請求項５】
前記廃棄可能なアドレスのシステムによって、前記廃棄可能なＥメールアドレスが以前に前記廃棄可能なアドレスのシステムにおいて記録されたことがあるかどうかを判断するステップと、
以前に記録されていなかったものである場合には、前記ユーザに対して定められた複数のパスコード検証アルゴリズムのうちの格納されたユーザ選択のパスコード・アルゴリズムを用いることによって、前記パスコードが有効かどうかを判断するステップと、
前記パスコードが有効でない場合には前記Ｅメールを拒否するステップと、
そうでない場合には、前記廃棄可能なアドレスのシステムに該廃棄可能なＥメールアドレスを記録し、該Ｅメールを該ユーザに送信するステップと
をさらに含む、請求項４に記載の方法。
【請求項６】
前記廃棄可能なＥメールアドレスが以前に記録されたことがあるものであると、前記廃棄可能なアドレスのシステムが判断する場合には、前記方法は、該廃棄可能なＥメールアドレスが取り消されたものであるかどうかを、該廃棄可能なアドレスのシステムによって判断するステップと、
取り消されたものである場合には、潜在的な大量の不要Ｅメールとして前記Ｅメールを隔離するステップと、
そうでない場合には、前記Ｅメールを前記ユーザに送信するステップと
をさらに含む、請求項５に記載の方法。
【請求項７】
前記廃棄可能なＥメールアドレスが取り消されたものであることを、前記ユーザから該廃棄可能なＥメールアドレスを以前に受信した合法的送信者ドメインに警告するように、前記廃棄可能なアドレスのシステムによって提案するステップと、
前記廃棄可能なＥメールアドレスを以前に受信した送信者ドメインのリストを該ユーザに提供するステップと
をさらに含む、請求項１から請求項６までのいずれかに記載の方法。
【請求項８】
前記ユーザが、前記廃棄可能なアドレスのシステムによって提供された前記送信者ドメインのリストから送信者ドメインのサブセットを選択するステップと、
送信者ドメインの前記サブセットについての新しい廃棄可能なアドレスを、前記ユーザによって作成するステップと
をさらに含む、請求項７に記載の方法。
【請求項９】
前記廃棄可能なアドレスのシステムにおいて、前記ユーザに対して定められた複数のパスコード検証アルゴリズムのうちのユーザ選択のパスコード検証アルゴリズムを用いて、前記ユーザが作成した前記新しい廃棄可能なＥメールアドレスを検証するステップをさらに含む、請求項８に記載の方法。
【請求項１０】
前記新しい廃棄可能なＥメールアドレスを、前記ユーザが選択した送信者ドメインの前記サブセットに送るステップをさらに含む、請求項９に記載の方法。
【請求項１１】
前記廃棄可能なアドレスのシステムによって、前記廃棄可能なＥメールアドレスを以前に受信した送信者ドメインのリストを決定するステップと、
前記リスト内の１又は複数の送信者ドメインから受信したＥメールに係る他の廃棄可能なＥメールアドレスの大量取り消しを提供するステップと
をさらに含む、請求項１から請求項１０までのいずれかに記載の方法。
【請求項１２】
廃棄可能なＥメールアドレスを、前記ユーザによって生成し、前記廃棄可能なＥメールアドレスを送信者ドメインに送るステップであって、前記廃棄可能なＥメールアドレス内のドメイン・タグが、該廃棄可能なＥメールアドレスを送る先の前記送信者ドメインを識別し、前記生成するステップが、
前記廃棄可能なアドレスのシステムによって前記ユーザに提供された複数のパスコード検証アルゴリズムのうちのユーザ選択のアルゴリズムを用いて、該ユーザが、前記廃棄可能なＥメールアドレスについてのパスコードを選択するステップと、
前記廃棄可能なＥメールアドレスに係る前記Ｅメールが大量の不要Ｅメールを含んでいることを、前記ユーザから通知するステップと
を含む、請求項１から請求項１１までのいずれかに記載の方法。
【請求項１３】
廃棄可能なＥメールアドレスを生成する方法であって、
ホスト名ドメイン、ユーザ名、ドメイン・タグ、及びパスコードを含む廃棄可能なＥメールアドレスをユーザが構築することを可能にするステップであって、前記ユーザ名が、前記ホスト名ドメインにおいて前記廃棄可能なＥメールアドレスを所有するユーザを識別し、前記ドメイン・タグが、前記ホスト名ドメインにおいてＥメール送信者ドメインから該ユーザに宛ててＥメールを送るのに用いるために前記廃棄可能なＥメールアドレスが与えられることになる前記Ｅメール送信者ドメインを識別することを特徴とする、ステップと、
前記ユーザに提供された複数のパスコード検証アルゴリズムのうちのユーザ選択のアルゴリズムを用いて、該ユーザが、前記廃棄可能なＥメールアドレスについての前記パスコードを選択することを可能にするステップと
を含む方法。
【請求項１４】
前記パスコードの選択が、前記廃棄可能なＥメールアドレスを予め登録するか、又は予め格納することなく、前記ユーザによってオンザフライ式に行われ、前記方法は、Ｅメールを受信したときに前記廃棄可能なＥメールアドレスをＥメールとともに受信したときにその検証に用いるために、前記複数のパスコード検証アルゴリズムのうちの前記ユーザ選択のアルゴリズムを格納するステップをさらに含む、請求項１３に記載の方法。
【請求項１５】
廃棄可能なＥメールアドレスを複数の送信者ドメインについて生成して、複数の廃棄可能なＥメールアドレスを生成するステップをさらに含み、異なる送信者ドメインについて、異なるドメイン・タグ及び異なるパスコードを有する固有の廃棄可能なＥメールアドレスを前記ユーザが選択することを可能にするステップをさらに含む、請求項１３および請求項１４のいずれかに記載の方法。
【請求項１６】
異なる廃棄可能なＥメールアドレスについてのパスコードを選択するときに、前記ユーザが、前記複数のパスコード検証アルゴリズムのうちの前記ユーザ選択のアルゴリズムを変更することを可能にするステップをさらに含む、請求項１５に記載の方法。
【請求項１７】
前記廃棄可能なＥメールアドレスが形式ｍａｉｌｂｏｘＩＤ＠ｈｏｓｔｎａｍｅを有し、ｍａｉｌｂｏｘＩＤは、前記ユーザ名、前記ドメイン・タグ、及び前記パスコードを含み、ｈｏｓｔｎａｍｅとは、前記ホスト名ドメインである、請求項１３、請求項１４、請求項１５および請求項１６のいずれかに記載の方法。
【請求項１８】
廃棄可能なアドレスのシステムにおいて、ホスト名ドメイン、ユーザ名、ドメイン・タグ、及びパスコードを有する、受信された廃棄可能なＥメールアドレスを処理するためのシステムであって、前記システムが、
（ｉ）関連する廃棄可能なＥメールアドレスを持ったＥメールを受信するための手段と、
（ｉｉ）前記Ｅメールに係る前記廃棄可能なＥメールアドレスが有効かどうかを判断し、有効である場合には、該Ｅメールを、前記ホスト名ドメインにあり、該廃棄可能なＥメールアドレスを所有するユーザに送信するための手段と、
（ｉｉｉ）前記Ｅメールが大量の不要Ｅメールを含んでいるので前記廃棄可能なＥメールアドレスに係るＥメールは汚染されているという表示を、前記ユーザから受信するための手段と、
（ｉｖ）前記廃棄可能なアドレスのシステムにおいて、前記汚染されている廃棄可能なＥメールアドレスを取り消し、その廃棄可能なＥメールアドレスを有する将来のＥメールが、該廃棄可能なアドレスのシステムによって前記ユーザに送られるのを防止するための手段と
を備えるシステム。
【請求項１９】
廃棄可能なＥメールアドレスを生成するためのシステムであって、
ホスト名ドメイン、ユーザ名、ドメイン・タグ、及びパスコードを含む廃棄可能なＥメールアドレスを構築するための手段であって、前記ユーザ名が、前記ホスト名ドメインにおいて前記廃棄可能なＥメールアドレスを所有するユーザを識別し、前記ドメイン・タグが、前記ホスト名ドメインにおいてＥメール送信者ドメインから該ユーザに宛ててＥメールを送るのに用いるために前記廃棄可能なＥメールアドレスが与えられることになる前記Ｅメール送信者ドメインを識別することを特徴とする、手段と、
前記ユーザに提供された複数のパスコード検証アルゴリズムのうちのユーザ選択のアルゴリズムを用いて、該ユーザが、該廃棄可能なＥメールアドレスについての前記パスコードを選択するための手段と
を備えるシステム。
【請求項２０】
ホスト名ドメイン、ユーザ名、ドメイン・タグ、及びパスコードを有する、受信された廃棄可能なＥメールアドレスを廃棄可能なアドレスのシステムで処理する方法を実行するように、マシンによって実行可能な命令の少なくとも１つのプログラムを実態的に具体化する、マシン読み取り可能な少なくとも１つのプログラム格納装置であって、前記方法が、
（ｉ）関連する廃棄可能なＥメールアドレスを持ったＥメールを受信するステップと、
（ｉｉ）前記Ｅメールに係る前記廃棄可能なＥメールアドレスが有効かどうかを判断し、有効である場合には、該Ｅメールを、前記ホスト名ドメインにあり、該廃棄可能なＥメールアドレスを所有するユーザに送信するステップと、
（ｉｉｉ）前記Ｅメールが大量の不要Ｅメールを含んでいるので前記廃棄可能なＥメールアドレスに係るＥメールは汚染されているという表示を、前記ユーザから受信するステップと、
（ｉｖ）前記廃棄可能なアドレスのシステムにおいて、前記汚染されている廃棄可能なＥメールアドレスを取り消し、その廃棄可能なＥメールアドレスを有する将来のＥメールが、該廃棄可能なアドレスのシステムによって前記ユーザに送られるのを防止するステップと
を含む少なくとも１つのプログラム格納装置。
【請求項２１】
廃棄可能なＥメールアドレスを生成する方法を実行するように、マシンによって実行可能な命令の少なくとも１つのプログラムを実態的に具体化する、マシン読み取り可能な少なくとも１つのプログラム格納装置であって、前記方法が、
ホスト名ドメイン、ユーザ名、ドメイン・タグ、及びパスコードを含む廃棄可能なＥメールアドレスをユーザが構築することを可能にするステップであって、前記ユーザ名が、前記ホスト名ドメインにおいて前記廃棄可能なＥメールアドレスを所有するユーザを識別し、前記ドメイン・タグが、前記ホスト名ドメインにおいてＥメール送信者ドメインから該ユーザに宛ててＥメールを送るのに用いるために前記廃棄可能なＥメールアドレスが与えられることになる前記Ｅメール送信者ドメインを識別することを特徴とするステップと、
前記ユーザに提供された複数のパスコード検証アルゴリズムのうちのユーザ選択のアルゴリズムを用いて、該ユーザが、前記廃棄可能なＥメールアドレスについての前記パスコードを選択することを可能にするステップと
を含む少なくとも１つのプログラム格納装置。
【請求項２２】
廃棄可能なＥメールアドレスを生成する方法であって、
ホスト名ドメイン、ユーザ名、ドメイン・タグ、及びパスコードを含む廃棄可能なＥメールアドレスを構築するステップであって、前記ユーザ名が、前記ホスト名ドメインにおいて前記廃棄可能なＥメールアドレスを所有するユーザを識別し、前記ドメイン・タグが、前記ホスト名ドメインにおいてＥメール送信者ドメインから該ユーザに宛ててＥメールを送るのに用いるために前記廃棄可能なＥメールアドレスが与えられることになる前記Ｅメール送信者ドメインを識別することを特徴とする、ステップと、
前記ユーザに提供された複数のパスコード検証アルゴリズムのうちのユーザ選択のアルゴリズムを用いて、前記廃棄可能なＥメールアドレスについての前記パスコードを選択するステップと
を含む方法。
【請求項２３】
ホスト名ドメイン、ユーザ名、ドメイン・タグ、及びパスコードを有する廃棄可能なＥメールアドレスを処理する方法であって、
（ｉ）廃棄可能なＥメールアドレスを、ユーザによって生成し、前記廃棄可能なＥメールアドレスを送信者ドメインに転送するステップであって、前記廃棄可能なＥメールアドレス内のドメイン・タグが、前記廃棄可能なＥメールアドレスの転送先である前記送信者ドメインを識別し、前記生成するステップが、該廃棄可能なアドレスのシステムによって前記ユーザに提供された複数のパスコード検証アルゴリズムのうちのユーザ選択のアルゴリズムを用いて、該ユーザによって、前記廃棄可能なＥメールアドレスについてのパスコードを選択するステップを含むことを特徴とする、ステップと、
（ｉｉ）前記廃棄可能なアドレスのシステムにおいて受信したＥメールに係る前記廃棄可能なＥメールアドレスが有効かどうかを判断し、有効である場合には、前記Ｅメールを、前記ホスト名ドメインにあり、該廃棄可能なＥメールアドレスを所有するユーザに送信するステップと、
（ｉｉｉ）前記廃棄可能なＥメールアドレスに係る前記Ｅメールが大量の不要Ｅメールを含んでいることを前記ユーザから通知し、該廃棄可能なＥメールアドレスが汚染されていることを該廃棄可能なアドレスのシステムに知らせるステップと、
（ｉｖ）前記廃棄可能なアドレスのシステムにおいて、前記汚染されている廃棄可能なＥメールアドレスの取り消しを示し、その廃棄可能なＥメールアドレスを有する将来のＥメールが、該廃棄可能なアドレスのシステムによって前記ユーザに送られるのを防止するステップと
を含む方法。
【請求項２４】
ホスト名ドメイン、ユーザ名、ドメイン・タグ、及びパスコードを有する受信された廃棄可能なＥメールアドレスを構築し、処理するためのシステムであって、
（ｉ）廃棄可能なＥメールアドレスを、ユーザによって生成し、前記廃棄可能なＥメールアドレスを送信者ドメインに転送するための手段であって、前記廃棄可能なＥメールアドレス内のドメイン・タグが、前記廃棄可能なＥメールアドレスの転送先である前記送信者ドメインを識別し、前記生成するための手段が、該廃棄可能なアドレスのシステムによって前記ユーザに提供された複数のパスコード検証アルゴリズムのうちのユーザ選択のアルゴリズムを用いて、該ユーザによって、該廃棄可能なＥメールアドレスについてのパスコードを選択するための手段をことを特徴とする、手段と、
（ｉｉ）前記廃棄可能なアドレスのシステムにおいて受信したＥメールに係る前記廃棄可能なＥメールアドレスが有効かどうかを判断し、有効である場合には、前記Ｅメールを、前記ホスト名ドメインにあり、該廃棄可能なＥメールアドレスを所有するユーザに送信するための手段と、
（ｉｉｉ）前記廃棄可能なＥメールアドレスに係る前記Ｅメールが大量の不要Ｅメールを含んでいることを前記ユーザから通知し、該廃棄可能なＥメールアドレスが汚染されていることを前記廃棄可能なアドレスのシステムに知らせるための手段と、
（ｉｖ）前記廃棄可能なアドレスのシステムにおいて、前記汚染されている廃棄可能なＥメールアドレスの取り消しを示し、その廃棄可能なＥメールアドレスを有する将来のＥメールが、該廃棄可能なアドレスのシステムによって前記ユーザに送られるのを防止するための手段と
を備えるシステム。
【請求項２５】
ホスト名ドメイン、ユーザ名、ドメイン・タグ、及びパスコードを有する受信された廃棄可能なＥメールアドレスを処理する方法を実行するように、マシンによって実行可能な命令の少なくとも１つのプログラムを実態的に具体化する、マシン読み取り可能な少なくとも１つのプログラム格納装置であって、前記方法が、
（ｉ）廃棄可能なＥメールアドレスを、ユーザによって生成し、前記廃棄可能なＥメールアドレスを送信者ドメインに送るステップであって、前記廃棄可能なＥメールアドレス内のドメイン・タグが、前記廃棄可能なＥメールアドレスの転送先である前記送信者ドメインを識別し、前記生成するステップが、該廃棄可能なアドレスのシステムによって前記ユーザに提供された複数のパスコード検証アルゴリズムのうちのユーザ選択のアルゴリズムを用いて、該ユーザによって、前記廃棄可能なＥメールアドレスについてのパスコードを選択するステップを含むことを特徴とする、ステップと、
（ｉｉ）前記廃棄可能なアドレスのシステムにおいて受信したＥメールに係る前記廃棄可能なＥメールアドレスが有効かどうかを判断し、有効である場合には、前記Ｅメールを、前記ホスト名ドメインにあり、該廃棄可能なＥメールアドレスを所有するユーザにホスト名ドメインで送信するステップと、
（ｉｉｉ）前記廃棄可能なＥメールアドレスに係る前記Ｅメールが大量の不要Ｅメールを含んでいることを前記ユーザから通知し、該廃棄可能なＥメールアドレスが汚染されていることを該廃棄可能なアドレスのシステムに知らせるステップと、
（ｉｖ）前記廃棄可能なアドレスのシステムにおいて、前記汚染されている廃棄可能なＥメールアドレスの取り消しを示し、その廃棄可能なＥメールアドレスを有する将来のＥメールが、該廃棄可能なアドレスのシステムによって前記ユーザに送られるのを防止するステップと
を含む少なくとも１つのプログラム格納装置。
【請求項２６】
廃棄可能なＥメールアドレスを生成する方法を実行するように、マシンによって実行可能な命令の少なくとも１つのプログラムを実態的に具体化する、マシン読み取り可能な少なくとも１つのプログラム格納装置であって、前記方法が、
ホスト名ドメイン、ユーザ名、ドメイン・タグ、及びパスコードを含むことで廃棄可能なＥメールアドレスを構築するステップであって、前記ユーザ名が、前記ホスト名ドメインにおいて前記廃棄可能なＥメールアドレスを所有するユーザを識別し、前記ドメイン・タグが、前記ホスト名ドメインにおいて前記送信者ドメインから前記ユーザに宛ててＥメールを転送するのに用いるために前記廃棄可能なＥメールアドレスが与えられる宛先であるＥメール送信者ドメインを識別することを特徴とする、ステップと、
前記ユーザに提供された複数のパスコード検証アルゴリズムのうちのユーザ選択のアルゴリズムを用いて、前記ユーザがによって、前記廃棄可能なＥメールアドレスについての前記パスコードを選択するステップと
を含む少なくとも１つのプログラム格納装置。
【請求項２７】
コンピュータ上で実行されるとき、請求項１から請求項１７まで、請求項２２、および請求項２３のいずれか１項に記載の方法を実行するように適合されたプログラム・コード手段を備えるコンピュータ・プログラム。